(57)【要約】【課題】簡単な構成にてシール性及び耐久性に優れた加熱炉のシール装置を提供する。【解決手段】台車６に搭載された被熱処理材を加熱処理する加熱炉のシール装置は、台車６に固定され、自由な下端20aを有する第１のシールプレート20と、加熱炉の側壁12に固定され、第１のシールプレート20の下端20aに対して平行である自由な下端30aを有する第２のシールプレート30と、ヒンジ42の回りにて台車６側に傾動したときに第１のシールプレート20の下端20aから第２のシールプレート30の下端30aに渡るボックス40と、ボックス40を傾動させるために往復動するロッド60と、ボックス40に固定され、ボックス40が台車６側に傾動したときに第１のシールプレート20の下端20a及び第２のシールプレート30の下端30aに当接するブロック形状の耐熱部材50とを備える。【選択図】図２
2008138964.tif 000002
【特許請求の範囲】
【請求項１】
台車に搭載された被熱処理材を加熱処理する加熱炉のシール装置において、
前記台車に固定され、自由な下端を有する第１のシールプレートと、
前記加熱炉の側壁に固定され、前記第１のシールプレートの下端に対して平行である自由な下端を有する第２のシールプレートと、
前記側壁にヒンジを介して取り付けられた上端を有し、前記ヒンジの回りにて前記台車側に傾動したときに前記第１のシールプレートの下端から前記第２のシールプレートの下端に渡るボックスと、
前記シール部材を傾動させるために往復動するロッドと、
前記ボックスに固定され、前記ボックスが前記台車側に傾動したときに前記第１のシールプレートの下端及び前記第２のシールプレートの下端に当接するブロック形状の耐熱部材と
を備えることを特徴とする加熱炉のシール装置。
【請求項２】
前記第１のシールプレートは鉛直面と略平行であることを特徴とする請求項１に記載の加熱炉のシール装置。
【発明の詳細な説明】
【技術分野】
【０００１】
本発明は、加熱炉のシール装置に係わり、より詳しくは、台車に搭載された被熱処理材を加熱処理する加熱炉のシール装置に関する。
【背景技術】
【０００２】
台車に搭載された被熱処理材を加熱処理する加熱炉は、台車の側面と加熱炉の側壁との間に生じる隙間を塞ぐシール装置を備える（例えば特許文献１参照）。特許文献１のシール装置では、プッシャによって、加熱炉側に固定された砂袋を台車側に固定されたシール板に対して押し付けることにより、台車の側面と加熱炉の側壁との間の隙間が閉塞される。
【特許文献１】特開2005-9759号公報
【発明の開示】
【発明が解決しようとする課題】
【０００３】
しかしながら、特許文献１のシール装置には、砂袋の製造が煩雑であり、砂袋が破損した場合の交換・修理にも時間がかかるという問題がある。
また、このシール装置では、シール板が台車の側方に突出しているため、周囲の障害物等に衝突して破損し易いという問題もある。
本発明は、上述した事情に基づいてなされ、その目的とするところは、簡単な構成にてシール性及び耐久性に優れた加熱炉のシール装置を提供することにある。
【課題を解決するための手段】
【０００４】
本発明によれば、台車に搭載された被熱処理材を加熱処理する加熱炉のシール装置において、前記台車に固定され、自由な下端を有する第１のシールプレートと、前記加熱炉の側壁に固定され、前記第１のシールプレートの下端に対して平行である自由な下端を有する第２のシールプレートと、前記側壁にヒンジを介して取り付けられた上端を有し、前記ヒンジの回りにて前記台車側に傾動したときに前記第１のシールプレートの下端から前記第２のシールプレートの下端に渡るボックスと、前記シール部材を傾動させるために往復動するロッドと、前記ボックスに固定され、前記ボックスが前記台車側に傾動したときに前記第１のシールプレートの下端及び前記第２のシールプレートの下端に当接するブロック形状の耐熱部材とを備えることを特徴とする加熱炉のシール装置が提供される（請求項１）。
前記第１のシールプレートは鉛直面と略平行であるのが好ましい（請求項２）。
【発明の効果】
【０００５】
本発明の請求項１の加熱炉のシール装置では、ブロック形状の耐熱部材が、第１のシールプレートの下端及び第２のシールプレートの下端に当接することにより、台車と加熱炉との間の隙間を良好にシールする。耐熱部材は、砂に比べて取り扱いが容易であり、耐熱部材をボックスに固定するのも容易である。
請求項２の加熱炉のシール装置では、第１のシールプレートが、鉛直面と略平行であるため、周囲の障害物と衝突し難く損傷するおそれがない。このため、このシール装置は耐久性に優れる。
【発明を実施するための最良の形態】
【０００６】
図１は、バッチ式の加熱炉２が被熱処理材４を搭載した台車６を受け入れた状態を示している。台車６は、略直方体形状の搭載部８を有し、搭載部８の下面に車輪10が取付けられている。
加熱炉２は、台車６の搭載部８を三方向から囲む３つの側壁12を有し、側壁12の上端には一体に天井14が連なっている。側壁12にはバーナ16が取付けられ、加熱炉２の天井14は、台車６の搭載部８との間に被熱処理材４を熱処理するための空間を規定している。
【０００７】
また、加熱炉２の一側面は、台車６の出入りを許容する開口面として形成され、加熱炉２の開口面は、取り外し可能な炉蓋（図示せず）によって閉塞可能である。
図２は、図１ではブロックＡで示されていた一実施形態のシール装置近傍を拡大して示す。
シール装置は、搭載部８側に固定された帯状の第１のシールプレート20を有する。より詳しくは、搭載部８には第１ブロック22が固定され、第１のシールプレート20の上端が第１ブロック22に固定されている。第１のシールプレート20は搭載部８の側面に沿って延びているが、第１のシールプレート20は、搭載部８の側面から離間している。このため第１のシールプレート20の下端20aは自由端になっている。なお、第１のシールプレート20は鉛直面と略平行であるのが好ましい。
【０００８】
またシール装置は、側壁12側に固定された帯状の第２のシールプレート30を有する。より詳しくは、側壁12には第２ブロック32が固定され、第２のシールプレート30の上端が第２ブロック32に固定されている。第１のシールプレート30は側壁12に沿って延びているが、第２のシールプレート30は、側壁12から離間している。このため第２のシールプレート30の下端30aは自由端になっている。その上、第２のシールプレート30の下端30aは、第１のシールプレート20の下端20aと所定の間隔を存して平行であり、且つ、第１のシールプレート20の下端20aよりも上方に位置している。
【０００９】
更に、シール装置は、直方体形状のボックス40を有し、ボックス40の上端は、ヒンジ42を介して側壁12に固定されている。ヒンジ42の回転軸は、側壁12に平行且つ水平であり、ボックス40はヒンジ42の回りに揺動可能である。また、ヒンジ42と第１のシールプレート20との間に第２のシールプレート30は位置しており、ボックス40が搭載部８側に傾動したとき、ボックス40の下端は、第１のシールプレート20の下端20aを超えて搭載部８に接近する。
【００１０】
ボックス40は、搭載部８側の側面が開口し、ボックス40内には、ブロック形状の耐熱部材50が固定されている。耐熱部材50は、ボックス40が搭載部８側に傾動したとき、第１のシールプレート20の下端20a及び第２のシールプレート30の下端30aの双方に線接触し、搭載部８と側壁12との間の隙間をシールする。換言すれば、耐熱部材50は、ボックス40が搭載部８側に傾動したとき、第１のシールプレート20の下端20aから第２のシールプレート30の下端30aに渡るシール面を有する。
【００１１】
なお、耐熱部材はファイバブロックからなるのが好ましい。ファイバブロックとは、セラミックファイバー繊維をニードル加工したブランケットを積層圧縮してブロック状にしたものである。
そして、シール装置は、側壁12を厚さ方向に貫通するプッシュロッド60を有し、プッシュロッド60は、その基端に設けられたシリンダ62によって往復動させられる。プッシュロッド60の先端は半球状に形成され、ボックス40の他の側面に当接する。
【００１２】
以下、上述したシール装置の使用方法について説明する。
加熱炉２が台車６を受け入れた後、シリンダ62を作動させてプッシュロッド60を前進させると、プッシュロッド60は、図２に２点鎖線で示したように、ボックス40を搭載部８に向けて傾動させる。これによりボックス40内の耐熱部材50が第１のシールプレート20の下端20a及び第２のシールプレート30の下端30aの双方に線接触し、搭載部８と側壁12との間の隙間がシールされる。
【００１３】
シール完了後、バーナ16に点火して被熱処理材４を所定の温度及び時間にて加熱する。加熱が終了したら、シリンダ62を作動させてプッシュロッド60を後退させる。プッシュロッド60の後退に伴いシールブロック40は自重により元の鉛直状態に復帰し、シールが解除される。この後、台車６は加熱炉２から出て、被熱処理材４を下流工程のために搬送する。
【００１４】
上述したシール装置では、ブロック形状の耐熱部材50が、第１のシールプレート20の下端20a及び第２のシールプレート30の下端30aに当接することにより、台車６と加熱炉２との間の隙間を良好にシールする。耐熱部材50は、砂に比べて取り扱いが容易であり、耐熱部材50をボックス40に固定するのも容易である。
また、上述したシール装置では、第１のシールプレート20aが、鉛直面と略平行であるため、台車６の走行時に周囲の障害物と衝突し難く損傷するおそれがない。このため、このシール装置は耐久性に優れる。
【００１５】
本発明は上記した一実施形態に限定されることはなく、種々の変形が可能である。例えば、搭載部８に対する第１のシールプレート20の固定手段や側壁12に対する第２のシールプレート30の固定手段は特に限定されない。また、側壁12に対するヒンジ42の固定手段も特には限定されない。
【図面の簡単な説明】
【００１６】
【図１】被熱処理材を搭載した台車を受け入れた状態の加熱炉の断面を概略的に示す図である。
【図２】図１の加熱炉に適用されたシール装置近傍を拡大して概略的に示す図である。
【符号の説明】
【００１７】
６    台車
12    側壁
20    第１のシールプレート
20a   第１のシールプレートの下端（自由端）
30    第２のシールプレート
30a   第２のシールプレートの下端（自由端）
40    ボックス
42    ヒンジ
50    耐熱部材
60    プッシュロッド
【図１】
2008138964.tif 000003
【図２】
2008138964.tif 000004